(57)【要約】　　　（修正有）【課題】Ｘ線管とＸ線高電圧装置とを接続する高電圧ケーブルに前記Ｘ線高電圧装置から発生する電磁放射ノイズを低減することができる高電圧ケーブルを用いたＸ線発生装置を提供する。【解決手段】Ｘ線高電圧装置とＸ線管とを高電圧ケーブルで接続し、前記Ｘ線高電圧装置の出力電圧を前記Ｘ線管に印加してＸ線を発生するＸ線発生装置において、前記高電圧ケーブルに前記Ｘ線管とＸ線高電圧装置とを接続する導電性の締め付けリングを設け、このリングを前記Ｘ線高電圧装置を収納する匡体に金属物にて面接続し、この面接続部を接地電位に接続する。【選択図】　　　図５
2004127834.tif 000002
【特許請求の範囲】
【請求項１】
Ｘ線高電圧装置とＸ線管とを高電圧ケーブルで接続し、前記Ｘ線高電圧装置の出力電圧を前記Ｘ線管に印加してＸ線を発生するＸ線発生装置において、前記高電圧ケーブルに前記Ｘ線管とＸ線高電圧装置とを接続する導電性の締め付けリングを設け、このリングを前記Ｘ線高電圧装置を収納する匡体に金属物で面接続し、この面接続部を接地電位に接続して成るＸ線発生装置。
【発明の詳細な説明】
【０００１】
【発明の属する技術分野】
本発明は、Ｘ線発生装置に関し、特にＸ線管とＸ線高電圧装置とを接続する高電圧ケーブルに前記Ｘ線高電圧装置から発生する電磁放射ノイズを低減する構造の高電圧ケーブルを用いたＸ線発生装置に関する。
【０００２】
【従来の技術】
Ｘ線を用いた画像診断装置は、Ｘ線管装置から発生したＸ線を被検体に照射し、該被検体を透過したＸ線量を検出して画像化するもので、前記Ｘ線管装置からのＸ線の発生には、該Ｘ線管装置のアノードとカソード間に直流の高電圧を印加し、前記カソードを高温にすることにより発生する熱電子を高電圧で加速し、これをアノードに衝突させてＸ線を発生させる高電圧電源が必要である。この高電圧電源はＸ線高電圧装置と呼ばれ、商用の単相または三相電源あるいはバッテリィを電源とし、これを直流高電圧に変換し、Ｘ線管のアノードとカソード間の電圧（以下、この電圧を管電圧と呼ぶ）を制御する機能と、フィラメント（カソード）を加熱し、これを制御してＸ線管に流れる電流（以下、これを管電流と呼ぶ）を制御する機能及び各種の撮影条件などを設定、表示する機能が必要である。前記Ｘ線高電圧装置は、Ｘ線管のアノードとカソード間に印加する直流高電圧を発生させる高電圧発生装置と、この直流高電圧の大きさ及び印加時間、さらに流れる電流など、Ｘ線を制御するためのＸ線制御装置からなる。
【０００３】
このＸ線高電圧装置には、高電圧の発生方法により種々の方式があるが、最近の医用Ｘ線高電圧装置は性能面だけでなく、設置面積の縮減，小型軽量化に対する要求が益々強まる一方である。なかでも高電圧変圧器が装置容積に占める割合は大きく、高電圧変圧器を小型化することが装置全体の小型化にとって特に有効である。そのために前記Ｘ線高電圧装置には小型化及び性能面の点で格段に優れているインバータ式Ｘ線高電圧装置が普及し、現在では一般Ｘ線撮影装置から循環器Ｘ線撮影装置、Ｘ線ＣＴ装置等のほとんどのＸ線画像診断装置に用いられている。
【０００４】
このインバータ式Ｘ線高電圧装置は、単相又は三相の商用電源電圧を整流して直流電圧に変換し（バッテリィによる直流電源の場合もある）、この直流電圧をインバータ回路により商用電源周波数よりも高い周波数の交流電圧に変換してこれを高電圧変圧器で昇圧し、ふたたび整流して直流の高電圧をＸ線管のアノードとカソード間に印加するものである。このようなインバータ式Ｘ線高電圧装置には、インバータ回路で管電圧を制御する方式により種々の方式があり、該管電圧の制御は、例えば［特許文献１］に記載されているようなインバータ回路の位相差や周波数あるいはパルス幅等を制御して行うものがある。上記インバータ式Ｘ線高電圧装置は内部に電力変換用の半導体素子を搭載しており、この半導体素子を動作させることで、管電圧、管電流、撮影時間を制御している。
【０００５】
【特許文献１】
特開昭６３−１９０５５６号公報。
【０００６】
電力半導体素子は、数百ボルトの電圧、数百アンペアの電流を瞬時に遮断するため、スイッチングノイズが発生し、そのノイズは電磁放射ノイズとなる。この電磁放射ノイズが電源ケーブル、信号線、高電圧ケーブルを介して、外部へ放射されると、他の装置の電源電圧を高周波で振動させたり、画像表示器上にノイズが混入し、診断画像を乱す等の影響をあたえ、診断に支障をきたすこととなる。このため、各種電線には電磁放射ノイズが外部に放射しない方法がとられている。
【０００７】
この電磁放射ノイズを低減するためには、Ｘ線高電圧装置に接続されている各種ケーブルの１つ１つに対策を施す必要がある。これらのケーブルのうち、電源ケーブルについては、コイルやコンデンサからなるノイズフィルタにより高周波ノイズの除去と接地電位への接続により対処し、信号線についてはシールド線を用いて、そのシールド部を金属物で接地電位に接続している。そして、最も電磁放射ノイズの低減が困難なＸ線高電圧装置の出力とＸ線管とを接続する高電圧ケーブルについては、高電圧ケーブル全体をシールドチューブ等で覆い、そのシールドチューブのシールドを線材にて接地電位に接続する方法をとっている。
【０００８】
【発明が解決しようとする課題】
上記のように、Ｘ線高電圧装置の出力とＸ線管とを接続する高電圧ケーブルは、高電圧整流回路で直流に変換された直流高電圧をＸ線管の陽極側と陰極側に供給するためのケーブルで、その被覆の耐圧はアース電位に対して７５ｋＶ〜９０ｋＶにもなる。そのため、被覆を剥いで、内部のシールド部を接地電位に接続することは，絶縁破壊による装置の故障や、感電等の危険を伴うために、このような方法はとられていなかった。
【０００９】
上記従来のシールドチューブによる方法は、電磁放射ノイズ低減が十分ではなく、画像表示器上にノイズが混入し、診断画像に少なからずの影響を与える場合がある。また、全長が１５ｍ〜２５ｍにもなる高電圧ケーブルの全体にシールドチューブを巻きつけ、かつ、専用の配線用ダクトを設けて配線する必要があるため、装置のレイアウトにも制限がある、レイアウトの変更が困難である等の課題が残されていた。
以上のことより、電磁放射ノイズを低減するためには、Ｘ線高電圧装置に接続されている各種電線のうち、高電圧ケーブルについての何等かの対策が求められていた。
【００１０】
そこで、本発明の目的は、Ｘ線管とＸ線高電圧装置とを接続する高電圧ケーブルに前記Ｘ線高電圧装置から発生する電磁放射ノイズを低減することができる高電圧ケーブルを用いたＸ線発生装置を提供することにある。
【００１１】
【課題を解決するための手段】
上記電磁放射ノイズを低減するためには、Ｘ線高電圧装置に接続されている各種ケーブルのシールドをノイズの発生源に最短距離かつ、面接触にて接地電位に接続すれば良い。
【００１２】
この考えに基づいて上記目的は、Ｘ線高電圧装置とＸ線管とを高電圧ケーブルで接続し、前記Ｘ線高電圧装置の出力電圧を前記Ｘ線管に印加してＸ線を発生するＸ線発生装置において、前記高電圧ケーブルに前記Ｘ線管とＸ線高電圧装置とを接続する導電性の締め付けリングを設け、このリングを前記Ｘ線高電圧装置を収納する匡体に金属物にて面接続し、この面接続部を接地電位に接続することによって達成される。
【００１３】
このように、高電圧ケーブルのシールドをノイズの発生源に最短距離かつ、面接触にて接地電位に接続することにより、前記Ｘ線高電圧装置から発生する電磁放射ノイズを低減することができるので、このＸ線発生装置を用いたＸ線画像診断システムは電磁放射ノイズの影響を受けないものとなる。
【００１４】
【発明の実施の形態】
以下、図面を参照して本発明の実施例を説明する。
図１は本発明によるＸ線発生装置をＣアーム型Ｘ線透視撮影装置に用いたシステムの構成例である。
【００１５】
図１において、Ｃアーム型Ｘ線透視撮影装置は、Ｘ線高電圧装置１００と、患者をのせる寝台１０１と、患者を透過したＸ線透過像を受けるフィルムや、イメージインテンシファイア（Ｉ．Ｉ．）等の受像装置１０２と、Ｘ線室内にてＸ線透過像を表示するモニター１０３と、Ｘ線条件の設定，Ｘ線透過像の表示、及びＸ線管６、受像装置１０２、寝台１０１を動作させる機能を有する操作卓１０４と、Ｘ線管６、受像装置１０２を支持する支持装置１０６とから構成されている。このように構成されたＸ線透視撮影装置は、寝台１０１及び支持装置１０６を操作して患者を撮影する部位の位置決めを行った後に、Ｘ線条件を操作卓１０４にて設定し、この設定されたＸ線条件に基づいてＸ線高電圧装置１００から直流高電圧（管電圧）が高電圧ケーブル５を介してＸ線管６に印加され、該Ｘ線管６から寝台１０１に載置された患者に対してＸ線が照射される。照射されたＸ線は患者を透過し、受像装置１０２にてＸ線を受ける。受像装置１０２にて受像した透過像はモニター１０３、及び操作卓１０４上のモニターに表示される。この際、透過像の表示タイミングは、撮影の場合は撮影終了後、つまりＸ線照射が終了した直後で、透視の場合は透視中、つまりＸ線が照射されている最中である。
【００１６】
次に、本発明の要部であるＸ線高電圧装置とＸ線管との接続部について説明する。
先ず、Ｘ線高電圧装置１００について説明する。
【００１７】
図２は上記Ｘ線透視撮影装置のＸ線高電圧装置１００にインバータ式Ｘ線高電圧装置を用いた回路構成図で、Ｘ線高電圧装置１００は，三相交流電源Ｕ、Ｖ、Ｗを直流に変換する６個の絶縁型バイポーラトランジスタ１１、１２、１３、１４、１５、１６から成る三相全波ブリッジ構成のコンバータ回路１の出力電圧（直流電圧）を４個の絶縁型バイポーラトランジスタ２１、２２、２３、２４から成る全波ブリッジ構成のインバータ回路２を用いて高周波の交流電圧に変換し、その出力電圧を高電圧変圧器３で昇圧した後、高電圧整流回路４（全波整流回路４ａ、４ｂ）にて整流して直流の高電圧を高電圧ケーブル５を介してＸ線管６に印加してＸ線を放射するものである。
【００１８】
前記操作卓１０４で設定したＸ線条件に対応した管電圧になるようにコンバータ回路１とインバータ回路２を制御する。コンバータ制御回路９は、コンバータ回路の出力電圧の検出値Ｖｃと、電流検出器３６で検出した検出値と、目標のコンバータ出力電圧Ｖ１とを入力し、前記コンバータ回路の出力電圧Ｖｃが目標のコンバータ出力電圧Ｖ１と一致し、かつ交流リアクトル８に流れる電流（線電流）の位相と前記三相交流電源の相電圧の位相とが一致するようにコンバータ回路１のスイッチング素子（絶縁型バイポーラトランジスタ１１、１２、１３、１４、１５、１６）をオン、オフ制御する。インバータ制御回路１０は、実際の管電圧を検出し、これが目標管電圧Ｖｋｖになるようにインバータ回路２のスイッチング素子（絶縁型バイポーラトランジスタ２１、２２、２３、２４）をオン、オフ制御する。管電流はＸ線管のフィラメント加熱回路５０により目標の管電流Ｖｍａになるように管電流出力信号Ｓ３に基づいて制御される。なお、３１は電源の投入、開放を行う接触器である。
【００１９】
このような構成のＸ線高電圧装置１００とＸ線管６とは図３に示す構造の高電圧ケーブル５（日本工業標準調査会：医用Ｘ線装置用プラグ付高電圧ケーブル、ＪＩＳ　Ｚ　４７３２　、日本規格協会）で接続される。
【００２０】
図３において、高電圧ケーブル５の両端にはプラグ絶縁筒２００が接続され、それぞれには締め付けリング２０１とケーブル保護筒２０２が設けられている。この高電圧ケーブルの片方はＸ線管に、もう片方はＸ線高電圧装置に接続され、Ｘ線管の陽極側と陰極側に１本づつ用いる。
【００２１】
図４はＸ線用高電圧ケーブル（３極）の詳細を示す図で、（ａ）は断面図、（ｂ）はプラグ部分の詳細を示す図である（日本工業標準調査会：医用Ｘ線装置用プラグ付高電圧ケーブル、ＪＩＳ　Ｚ　４７３２　、日本規格協会）。
【００２２】
３芯の電線はぞれぞれ被覆にて絶縁され、その周りには高電圧絶縁層，遮蔽層（シールド）、シースが同心円状に設けられている。
陽極側は３極を有しており、＋７５ｋＶ〜＋９０ｋＶの直流高電圧が印加される。
陰極側は、印加される電圧が−７５ｋＶ〜−９０ｋＶであるが、３極は独立しており，それぞれ、大焦点用フィラメント電流、小焦点用フィラメント電流、コモン電流が供給される。
【００２３】
プラグ部分には高電圧ケーブル５が接続され、樹脂素材のプラグ絶縁筒２００にて絶縁されている。プラグ絶縁筒の一端にはピンが設けられ、もう一端は高電圧ケーブルのシールドに接続された金属性の遮蔽層接続金属２０３と締め付けリング２０１が設けられている。
【００２４】
図５は本発明の第１の実施例における高電圧ケーブルの締め付けリングとＸ線高電圧装置の匡体とを面にて接続する方法を示す図である。
図５（ａ）において、高電圧発生装置７には図２に示した高電圧変圧器３、高電圧整流器４及びフィラメントを加熱する加熱変圧器（図示省略）等が絶縁油に浸されたタンクに収納され、Ｘ線高電圧装置１００の上部に搭載されている。前記高電圧発生装置７には、Ｘ線高電圧発生装置１００の匡体への収納時に用いる釣り棒２１１が設けられており、上面には高電圧ケーブル５が２本挿入されている。
図５（ａ）に示すように、釣り棒２１１が設けられている高電圧発生装置７は、Ｘ線高電圧装置１００の上部に搭載しており、上面には高電圧ケーブル５が２本挿入されている。
【００２５】
図５（ｂ）に示すように、シールド接続筒２１０は天井板２０４と締め付けリング２０１間に設けられている。プラグ絶縁筒２００、遮蔽層接続金属２０３、締め付けリング２０１からなる高電圧ケーブル５は、高電圧発生装置７のタンクの壁面２０８上に設けられたプラグ締め付け部２０６を介して、高電圧発生装置７に挿入されており、締め付けリング２０１上のネジ２０９を締めることで、高電圧発生装置７に固定されている。締め付けリング２０１上のネジ２０９は、高電圧ケーブル５のシールドに接続された遮蔽層接続金属２０３に接触していることより、締め付けリング２０１は高電圧ケーブル５のシールドに接続される。電磁遮蔽効果をもつ伸縮性ガスケット２０７と、シールド接続筒２１０を天井板２０４と締め付けリング２０１間に挿入し、ネジ２０９にて固定することで、高電圧ケーブルのシールドと天井板２０４、つまりＸ線高電圧装置１００の匡体の面に接続され、高電圧ケーブルのシールド部は積極的に接地電位に固定されたことなる。この方法により、高電圧ケーブル５からＸ線高電圧装置１００の外部に放出される電磁放射ノイズを低減でき、画像表示器上にノイズが混入し、診断画像を乱す等の問題を解消することができる。
【００２６】
釣り棒２１１がある場合は、高電圧発生装置７のタンクの壁面２０８と天井板２０４の間には、釣り棒２１１の高さ以上の空間を設けて、釣り棒２１１と天井板２０４が接触しないようにする必要があるので、シールド接続筒２１０の高さは、それに合わせて選ぶ必要がある。しかし、伸縮性ガスケット２０７を用いているので、精度は±５ｍｍ程度は許容される。
【００２７】
図６は本発明の第１の実施例におけるシールド接続筒２１０の構造と天井板２０４への接続の関係を示す図で、（ａ）はシールド接続筒２１０の構造、（ｂ）は天井板２０４とシールド接続筒２１０の固定を示す図である。
【００２８】
図６（ａ）において、高電圧ケーブル５の外形より大きな直径をもつ金属製円筒の両端に金属製円盤が接続され、円盤にはネジ２０９が通る穴が設けられおり、鉛直方向に分割できる構造となっている。
図６（ｂ）において、天井板２０４は高電圧ケーブル５の接続作業をやりやすくするために、２分割にしている。Ｘ線高電圧装置１００内に搭載された高電圧発生装置７のタンクに高電圧ケーブル５を挿入し、締め付けリング２０１にて固定したあと、分割された接続筒２１０を高電圧ケーブル５にはめ込む。その後、２分割された天井板２０４と共に匡体にネジ２０９にて接続する。ここで２分割された天井板２０４はそれぞれの合わせ部が重なる形状となっており、その合わせ部分には伸縮性ガスケット２０７が挿入されている。
【００２９】
図７は本発明の第２の実施例における高電圧ケーブルの締め付けリングとＸ線高電圧装置の匡体とを面にて接続する方法を示す図で、釣り棒２１１がない場合でる。
図７（ａ）に示すように、釣り棒２１１がない高電圧発生装置７は、Ｘ線高電圧装置１００の上部に搭載しており、上面には高電圧ケーブル５が２本挿入されている。
図７（ｂ）は天井板２０４と締め付けリング２０１との配置関係を示す図である。プラグ絶縁筒２００、遮蔽層接続金属２０３、締め付けリング２０１、高電圧ケーブル５、高電圧発税装置７のタンクの壁面２０８上に設けられたプラグ締め付け部２０６、ネジ２０９の関係は実施例１と同様である。
【００３０】
図６に示したように、２分割した天井板２０４には高電圧ケーブル５の外形よりも大きな直径を持つ穴が設けられている。高電圧ケーブル５を締め付けリング２０１にて固定したあと、２分割された天井板２０４と締め付けリング２０１の間に伸縮性ガスケット２０７を挿入し、匡体にネジ２０９にて接続する。この方法により、高電圧ケーブル５のシールドはより強固に匡体に接続され、高電圧ケーブル５からＸ線高電圧装置１００の外部に放出される電磁放射ノイズを低減でき、画像表示器上にノイズが混入し、診断画像を乱す等の問題を解消することができる。
【００３１】
図８は本発明の第３の実施例における高電圧ケーブルの締め付けリングとＸ線高電圧装置の匡体とを面にて接続する方法を示す図で、釣り棒２１１があり、かつ高電圧発生装置７の蓋２１２が締め付けリング２０１の上面より突出している場合である。
【００３２】
図８（ａ）に示すように、釣り棒２１１が設けられており、かつ高電圧発生装置の蓋２１２が締め付けリング２０１の上面より突出している高電圧発生装置７は、Ｘ線高電圧装置１００の上部に搭載しており、側面には高電圧ケーブル５が２本挿入されている。
【００３３】
図８（ｂ）は側面板２０５と締め付けリング２０１間に設けたシールド接続筒２１０の配置を示す図である。シールド接続筒２１０、プラグ絶縁筒２００、遮蔽層接続金属２０３、締め付けリング２０１、高電圧ケーブル５、高電圧発生装置７のタンクの壁面２０８上に設けられたプラグ締め付け部２０６、ネジ２０９の関係は実施例１と同様である。
【００３４】
高電圧発生装置７の蓋２１２が締め付けリング２０１の上面より突出している場合では、高電圧発生装置のタンクの壁面２０８と側面板２０５の間には、締め付けリング２０１の高さ以上の空間を設けて、蓋２１２と側面板２０５が接触しないようにする必要があるので、シールド接続筒２１０の高さは、それに合わせて選ぶ必要がある。しかし、伸縮性ガスケット２０７を用いているので、精度は±５ｍｍ程度は許容される。
この方法により、高電圧ケーブル５からＸ線高電圧装置１００の外部に放出される電磁放射ノイズを低減でき、画像表示器上にノイズが混入し、診断画像を乱す等の問題を解消でき、かつ、高電圧ケーブル５の引き出しが任意の側面からできるので、Ｘ線高電圧装置１００の全長を小さくでき、小型化が可能となる。
【００３５】
図９は本発明の第４の実施例における高電圧ケーブルの締め付けリングとＸ線高電圧装置の匡体とを面にて接続する方法を示す図で、高電圧発生装置７の蓋２１２が締め付けリング２０１の上面より突出ていない場合である。
図９（ａ）に示すように、釣り棒２１１が設けられており、かつ高電圧発生装置７の蓋２１２が締め付けリング２０１の上面より突出ていない高電圧発生装置７は、Ｘ線高電圧装置１００の上部に搭載しており、側面には高電圧ケーブル５が２本挿入されている。
図９（ｂ）は側面板２０５と締め付けリング２０１間に設けたシールド接続筒２１０の配置を示す図である。プラグ絶縁筒２００、遮蔽層接続金属２０３、締め付けリング２０１、高電圧ケーブル５、高電圧発生装置７のタンクの壁面２０８上に設けられたプラグ締め付け部２０６、ネジ２０９の関係は実施例１と同様である。
【００３６】
図６に示したように、２分割した側面板２０５には高電圧ケーブル５の外形より大きな直径を持つ穴が設けられている。高電圧ケーブル５を締め付けリング２０１にて固定したあと、２分割された側面板２０５と締め付けリング２０１の間に伸縮性ガスケット２０７を挿入し、匡体にネジ２０９にて接続する。この方法により、高電圧ケーブル５のシールドはより強固に匡体に接続され、高電圧ケーブル５からＸ線高電圧装置１００の外部に放出される電磁放射ノイズを低減でき、画像表示器上にノイズが混入し、診断画像を乱す等の問題を解消することができ、かつ、高電圧ケーブル５の引き出しが任意の側面からできるので、Ｘ線高電圧装置１００の全長を小さくでき、小型化が可能となる。
【００３７】
以上の実施例は、中性点接地方式（図２に示した高電圧発生装置７の接地方式）のＸ線高電圧装置に用いた場合であるが、本発明はこれに限定するものではなく、陽極側接地方式、及び陰極接地方式の場合に用いても同様の効果が得られる。
【００３８】
また、Ｘ線画像診断装置としてＣアーム型Ｘ線透視撮影装置に用いた場合について説明したが、Ｘ線高電圧発生装置の出力電圧を高電圧ケーブルを用いてＸ線管に印加する図１に示すＸ線透視撮影装置以外のＸ線画像診断装置及びＸ線ＣＴ装置にも用いて有効なことは言うまでもない。
【００３９】
【発明の効果】
以上、本発明によれば、Ｘ線高電圧装置とＸ線を照射するＸ線管とを接続する高電圧ケーブルのシールドをノイズの発生源に最短距離かつ，面接触に接地電位に接続することにより、前記Ｘ線高電圧装置から発生する電磁放射ノイズを低減することができるので、前記電磁放射ノイズの影響を受けない高画質の診断画像のＸ線画像診断装置を提供できる。
【図面の簡単な説明】
【図１】本発明によるＸ線発生装置をＣアーム型Ｘ線透視撮影装置に用いたシステムの構成例。
【図２】Ｘ線透視撮影装置のＸ線高電圧装置にインバータ式Ｘ線高電圧装置を用いた回路構成図。
【図３】高電圧ケーブルの構造を示す図。
【図４】高電圧ケーブル（３極）の断面，及びプラグ部分の詳細を示す図。
【図５】本発明の第１の実施例における高電圧ケーブルの締め付けリングとＸ線高電圧装置の匡体とを面にて接続する方法を示す図。
【図６】本発明の第１の実施例におけるシールド接続筒の構造と天井板への接続の関係を示す図。
【図７】本発明の第２の実施例における高電圧ケーブルの締め付けリングとＸ線高電圧装置の匡体とを面にて接続する方法を示す図。
【図８】本発明の第３の実施例における高電圧ケーブルの締め付けリングとＸ線高電圧装置の匡体とを面にて接続する方法を示す図。
【図９】本発明の第４の実施例における高電圧ケーブルの締め付けリングとＸ線高電圧装置の匡体とを面にて接続する方法を示す図。
【符号の説明】
１　コンバータ回路、２　インバータ回路、３　高電圧変圧器、４　高電圧整流回路、５　高電圧ケーブル、６　Ｘ線管、７　高電圧発生装置、８　交流リアクトル、９　コンバータ制御回路、１０　インバータ制御回路、５０　管電流制御回路、１００　Ｘ線高電圧装置、２００　プラグ絶縁筒、２０１　締め付けリング、２０２　ケーブル保護筒、２０３　遮蔽層接続金属、２０４　匡体天井板、２０５　匡体側面板、２０６　プラグ締め付け部、２０７　ガスケット　２０８　高電圧発生装置のタンク壁面　２０９　ネジ、２１０　シールド接続筒、２１１　釣り棒、２１２　高電圧発生装置の蓋
【図１】
2004127834.tif 000003
【図２】
2004127834.tif 000004
【図３】
2004127834.tif 000005
【図４】
2004127834.tif 000006
【図５】
2004127834.tif 000007
【図６】
2004127834.tif 000008
【図７】
2004127834.tif 000009
【図８】
2004127834.tif 000010
【図９】
2004127834.tif 000011